(57)【要約】【課題】対象物を綴じたステープラーの針を容易に除去することを可能とする。【解決手段】幅広部１０ａと幅広部１０ｂとが少なくとも１つの幅狭部１２によって平面的に一体化され、幅広部１０ａの最大幅Ｗ１及び第２の幅広部１０ｂの最大幅Ｗ２を幅狭部１２の最大幅Ｗ３よりも大きくしたシート状の部材を、幅狭部１２をステープラーの針で跨ぐように対象物に止める。【選択図】図１
2011218478.tif 000002
【特許請求の範囲】
【請求項１】
第１の幅広部と第２の幅広部とが少なくとも１つの幅狭部によって平面的に一体化されたシート状の部材であって、前記第１の幅広部、前記幅狭部及び前記第２の幅広部と続く方向に対して垂直な方向において前記第１の幅広部の最大幅Ｗ１及び前記第２の幅広部の最大幅Ｗ２は、前記幅狭部の最大幅Ｗ３よりも大きいことを特徴とする針除去用部材。
【請求項２】
請求項１に記載の針除去用部材であって、
対象物と共に、前記幅狭部を跨ぐようにステープラーの針によって止められることを特徴とする針除去用部材。
【請求項３】
請求項１又は２に記載の針除去用部材であって、
前記部材の表面又は裏面に貼り付け及び剥がし取りが可能な粘着材料が設けられていることを特徴とする針除去用部材。
【請求項４】
請求項１〜３のいずれか１つに記載の針除去用部材であって、
前記部材が、連続的かつ分割可能にテープ状に繋げられていることを特徴とする針除去用部材。
【請求項５】
請求項１〜４のいずれか１つに記載の針除去用部材であって、
前記部材は、軟質性かつ可撓性のプラスチックフィルムで構成されることを特徴とする針除去用部材。
【請求項６】
請求項１〜５のいずれか１つに記載の針除去用部材であって、
前記部材の表面又は裏面の少なくとも一方は、滑り止めとなる構成とされていることを特徴とする針除去用部材。
【発明の詳細な説明】
【技術分野】
【０００１】
本発明は、ステープラーの針を容易に除去することを可能とする針除去用部材に関する。
【背景技術】
【０００２】
複数の用紙を綴じたり、段ボール等を組み立てたり、建築部材等を繋ぎ合わせたりする際にステープラーが広く用いられている。一旦綴じられた用紙を分離させたり、組み立てられた段ボールを分解したり、繋ぎ合わされた建築部材等を分離したりするためにはステープラーの針を取り除く必要がある。
【０００３】
特許文献１には、ステープラーで複数枚の用紙を綴じる際に、軟質性で可撓性のフィルムにてＶ字状に形成された綴じ込みホルダーを束ねた用紙に挟み込んで、綴じ込みホルダーと用紙とを一体に綴じ込む技術が開示されている。
【先行技術文献】
【特許文献】
【０００４】
【特許文献１】実用新案登録第３１１５４８４号公報
【発明の概要】
【発明が解決しようとする課題】
【０００５】
しかしながら、特許文献１に記載の綴じ込みホルダーは、使用の際に綴じ込まれる対象物等の縁を挟み込むように用いる必要があり、対象物の縁近傍以外の部分には用いることができないという問題がある。
【０００６】
また、ステープラーの針によって止められる対象物の厚さに応じて、対象物を表面及び裏面の両側から挟み込むために綴じ込みホルダーの折り曲げ部分の幅を変更しなければならず、対象物に応じて多種の綴じ込みホルダーを準備しなければならないという問題がある。
【課題を解決するための手段】
【０００７】
本発明の１つの態様は、第１の幅広部と第２の幅広部とが少なくとも１つの幅狭部によって平面的に一体化されたシート状の部材であって、前記第１の幅広部、前記幅狭部及び前記第２の幅広部と続く方向に対して垂直な方向において前記第１の幅広部の最大幅Ｗ１及び前記第２の幅広部の最大幅Ｗ２は、前記幅狭部の最大幅Ｗ３よりも大きいことを特徴とする針除去用部材である。
【０００８】
ここで、前記針除去用部材は、ステープラーが用いられる対象物と共に、ステープラーの針が前記幅狭部を跨ぐように前記対象物に止められることが好適である。
【０００９】
また、前記部材の表面又は裏面に貼り付け及び剥がし取りが可能な粘着材料が設けられていることが好適である。
【００１０】
また、前記部材は、連続的かつ分割可能にテープ状に繋げられていることが好適である。
【００１１】
また、前記部材は、軟質性かつ可撓性の材料、特にプラスチックフィルムで構成されることが好適である。
【発明の効果】
【００１２】
本発明によれば、ステープラーの針を容易に除去することができる。
【図面の簡単な説明】
【００１３】
【図１】本発明の実施の形態における針除去用部材の構成を示す平面図である。
【図２】本発明の実施の形態における針除去用部材の構成の別例を示す平面図である。
【図３】本発明の実施の形態における針除去用部材の使用方法を示す平面図及び断面図である。
【図４】本発明の実施の形態における針除去用部材の使用方法を示す平面図及び断面図である。
【図５】本発明の実施の形態における針除去用部材の構成を示す平面図である。
【図６】本発明の実施の形態における針除去用部材の構成を示す平面図である。
【発明を実施するための形態】
【００１４】
本発明の実施の形態における針除去用部材１００は、図１に示すように、幅広部１０ａ、幅広部１０ｂ及び幅狭部１２を有し、幅広部１０ａと幅広部１０ｂとが少なくとも１つの幅狭部１２によって平面的に一体化されたシート状の部材である。
【００１５】
針除去用部材１００は、対象物に止められたステープラーの針を取り外すことができる程度の強度を有する材料で構成する。例えば、複数の用紙を綴じたり、段ボール等を組み立てたり、建築部材等を繋ぎ合わせたりする際に用いられたステープラーの針を取り外すことができる程度の強度を有する材料で構成する。より具体的には、ポリエチレン等のプラスチックフィルム、金属のシート、繊維を含む布地等によって構成することが好適である。
【００１６】
幅広部１０ａと幅広部１０ｂとは幅狭部１２によって平面的に一体化されている。図１に示すように、幅広部１０ａ、幅狭部１２及び幅広部１０ｂと続く方向（図中、Ｘ方向）に対して垂直な方向（図中、Ｙ方向）の幅狭部１２の最大幅Ｗ３は、幅広部１０ａの最大幅Ｗ１及び幅広部１０ｂの最大幅Ｗ２よりも小さく構成する。また、幅狭部１２の最大幅Ｗ３は、使用されるステープラーの針の幅Ｗ４よりも小さくする。一方、幅広部１０ａの最大幅Ｗ１及び幅広部１０ｂの最大幅Ｗ２は、使用されるステープラーの針の幅Ｗ４よりも大きくする。ここで、ステープラーの針の幅Ｗ４は、図３に示すように、ステープラーの針の両端の折り曲げられた部分の内側面間の距離をいう。
【００１７】
また、幅狭部１２の最大幅Ｗ３に対する幅広部１０ａの最大幅Ｗ１の比Ｗ１／Ｗ３は１．２以上とすることが好適である。同様に、幅狭部１２の最大幅Ｗ３に対する幅広部１０ｂの最大幅Ｗ２の比Ｗ２／Ｗ３は１．２以上とすることが好適である。
【００１８】
さらに、針除去用部材１００の厚さは０．１ｍｍ以上１ｍｍ以下とすることが好適である。また、幅狭部１２の厚さは幅広部１０ａの厚さ及び幅広部１０ｂの厚さ以下とすることが好適である。
【００１９】
また、本実施の形態において、幅広部１０ａと幅広部１０ｂは略楕円形状に形成され、その楕円形状を幅狭部１２が接続する構成としている。ただし、幅広部１０ａ及び幅広部１０ｂの形状、幅広部１０ａ，幅広部１０ｂ及び幅狭部１２の接続関係等はこれに限定されるものではない。
【００２０】
例えば、幅広部１０ａ及び幅広部１０ｂの少なくとも一方を矩形としてもよい。これにより、使用時に幅広部１０ａ又は幅広部１０ｂに書類の内容を示す情報を書き込み欄として使いやすくなる等の利点がある。また、幅広部１０ａ及び幅広部１０ｂの少なくとも一方を楕円形状のように角のない形状としてもよい。これにより、使用時に視覚的に柔らかい感じを与えることができ、幅広部１０ａ又は幅広部１０ｂの角によってユーザの指に違和感を与え難くすることができる。
【００２１】
また、幅狭部１２は少なくとも１つ設けられていればよく、図２に示すように、幅広部１０ａ及び幅広部１０ｂが幅狭部１２以外の部分で平面的に一体化されていてもよい。
【００２２】
図３は、針除去用部材１００の使用方法を示す図である。ユーザは、ステープラーの針で止める対象となる対象物と針除去用部材１００とを重ね合わせて、針除去用部材１００の幅広部１０ａ及び幅広部１０ｂを繋ぐ幅狭部１２の幅方向にステープラーの針が沿うようにステープラーを合わせ、幅狭部１２をステープラーの針が跨ぐように対象物と針除去用部材１００とを一緒に止める。
【００２３】
ここで、上記の条件のように幅広部１０ａ、幅広部１０ｂ及び幅狭部１２の最大幅Ｗ１，Ｗ２，Ｗ３を設定しておくことによって、幅狭部１２を跨ぐようにステープラーの針で綴じた状態において幅広部１０ａ及び幅広部１０ｂの幅によってステープラーの針から針除去用部材１００が脱落することがなくなる。
【００２４】
また、幅狭部１２の厚さを幅広部１０ａの厚さ及び幅広部１０ｂの厚さ以下とすることが好適である。これによって、ステープラーの針が幅狭部１２から幅広部１０ａ及び幅広部１０ｂへとずれることを抑制することができる。
【００２５】
ステープラーの針を取り除きたい場合には、図４（ａ）のような状態から図４（ｂ）の状態のように、幅広部１０ａと幅広部１０ｂとを対象物の表面から立ち上げるように指先で持ち上げる。そして、図４（ｃ）のように、立ち上げた幅広部１０ａと幅広部１０ｂとを指先で摘んで対象物の表面から引き上げることによって、図４（ｄ）に示すように、針除去用部材１００と共に対象物からステープラーの針を抜き取る。
【００２６】
ここで、針除去用部材１００をステープラーの針を取り外すことができる程度の強度を有する材料、例えば、ポリエチレン等のプラスチックフィルム、金属のシート、繊維を含む布地等によって構成することによって、ステープラーの針によって針除去用部材１００が千切れることなく確実にステープラーの針を取り外すことができる。
【００２７】
また、針除去用部材１００が厚すぎる場合には、対象物との合計の厚さが大きくなり、ステープラーの針によって止めることが難くなり、ステープラーの針を取り除く際にも幅広部１０ａ及び幅広部１０ｂを指で持ち上げにくくなる。一方、針除去用部材１００が薄すぎる場合には、ステープラーの針を取り除く際に強度が足りず、針除去用部材１００が千切れ易くなる。したがって、上記の条件に合わせて針除去用部材１００の厚さを設定することが好適である。
【００２８】
なお、対象物と共に針除去用部材１００を止める際に、ステープラーの針が針除去用部材１００の一部を貫通するように綴じ込まれても同様に使用することができる。
【００２９】
また、針除去用部材１００の表面又は裏面のいずれかに貼り付け及び剥がし取りが可能な粘着材料を塗布することも好適である。これにより、対象物と共に針除去用部材１００を止める前に、所望の位置に針除去用部材１００を貼り付けた上でステープラーの針で止めることができる。これによって、針除去用部材１００を使用する際に対象物との位置合わせを容易にすることができる。
【００３０】
また、針除去用部材１００の表面又は裏面の少なくとも一方を滑り止めとなる構成としてもよい。例えば、針除去用部材１００の表面又は裏面の少なくとも一方に凹凸を設けてもよい。また、針除去用部材１００を表面が滑り難いゴム等で構成してもよい。これにより、ステープラーの針を取り除く際にユーザの指が滑り難くなり、ステープラーの針を取り除き易くなる。
【００３１】
また、針除去用部材１００を様々な色に着色することも好適である。これにより、対象物と共に針除去用部材１００をステープラーの針で止めたときに、針除去用部材１００の色によって対象物を分類することができる。例えば、一定期間後に廃棄する対象物に使用する針除去用部材１００の色を決めておくことによって、その色の針除去用部材１００が止められた対象物は、針除去用部材１００を使用してステープラーの針を除去した後に廃棄処理をすることができる。これによって、針除去用部材１００の利便性を高めることができる。また、針除去用部材１００がカラフルになることによって、ユーザを視覚的に楽しませることができる。さらに、針除去用部材１００を蛍光色や夜光色としたり、光を反射するようにしたりしてもよい。
【００３２】
また、針除去用部材１００に様々な情報を印刷したり、針除去用部材１００を様々な形に加工することによって、対象物にステープラーの針で止められた状態においてユーザに対して様々な情報を呈示したり、ユーザを視覚的に楽しませたりできるようにしてもよい。
【００３３】
また、針除去用部材１００に香りを付け、使用時にユーザを嗅覚的に楽しませるようにしてもよい。
【００３４】
また、図５及び図６に示すように、針除去用部材１００を連続的に繋げたテープ状に形成してもよい。このとき、針除去用部材１００をそれぞれ容易に分離できるように境目（図中の破線箇所）にミシン目等の加工を施しておくことが好適である。これによって、テープ状に形成された針除去用部材１００を順に引き出せる構造の容器に収納し、使用分毎に切り取って利用することが可能となり、針除去用部材１００の利便性を高めることができる。
【符号の説明】
【００３５】
１０ａ  幅広部、１０ｂ  幅広部、１２  幅狭部、１００  針除去用部材。
【図１】
2011218478.tif 000003
【図２】
2011218478.tif 000004
【図３】
2011218478.tif 000005
【図４】
2011218478.tif 000006
【図５】
2011218478.tif 000007
【図６】
2011218478.tif 000008